(57)【要約】【課題】製造歩留まりを改善するとともに、製造コストを低減させる表示装置を提供することを目的とする。【解決手段】  表示部１２０と、表示部１２０に駆動信号を供給する駆動ＩＣ１３０が配置される駆動部２００Ａと、を備えた表示パネルを備え、駆動ＩＣ１３０は、メモリ１５０と、メモリ１５０に供給される信号が入力される入力端子１３１と、を備え、駆動部２００Ａは、入力端子１３１に電気的に接続された接続電極１３２と、接続電極１３２と接続配線１４０を介して電気的に接続された書き込み用端子１５１と、を備えている。【選択図】      図１
2010134105.tif 000002
【特許請求の範囲】
【請求項１】
表示部と、前記表示部に駆動信号を供給する駆動ＩＣが配置される駆動部と、を備えた表示パネルを備え、
前記駆動ＩＣは、メモリと、前記メモリに供給される信号が入力される入力端子と、を備え、
前記駆動部は、前記入力端子に電気的に接続された接続電極と、前記接続電極と接続配線を介して電気的に接続された書き込み用端子と、を備える表示装置。
【請求項２】
前記接続配線は、前記駆動部に配置され、
前記駆動ＩＣは、前記接続配線上に配置される請求項１記載の表示装置。
【請求項３】
前記表示部は、マトリクス状に配置された複数の画素を備え、
前記複数の画素のそれぞれには、ゲート電極と、ソース電極と、ドレイン電極とを備えたスイッチ素子が配置され、
前記接続配線は、前記ゲート電極または前記ソース電極と同一層に配置されている請求項２に記載の表示装置。
【請求項４】
前記駆動部の一側縁に接続され、前記駆動ＩＣに信号を供給する配線基板をさらに備え、
前記接続配線は、前記駆動部上に配置されているとともに、前記接続電極に接続された第１配線と、
前記配線基板上に配置され、前記配線基板上の第１端子と第２端子とを接続するとともに、前記第１端子を介して前記第１配線に接続された第２配線と、
前記駆動部上に配置されているとともに、前記第２端子と前記書き込み用端子とを接続する第３配線と、を備える請求項１に記載の表示装置。
【請求項５】
前記メモリは、ＥＥＰＲＯＭである請求項１乃至請求項４のいずれか１項記載の表示装置。
【請求項６】
前記表示パネルは、互いに対向して配置された一対の基板と、
前記一対の基板間に配置された液晶層と、を備える請求項１乃至請求項５のいずれか１項に記載の表示装置。
【発明の詳細な説明】
【技術分野】
【０００１】
この発明は、表示装置に係り、特に、メモリを備えたＩＣが実装された表示装置に関する。
【背景技術】
【０００２】
近年、ＥＥＰＲＯＭ（Electrically Erasable Programmable ROM）は、駆動回路に用いられるＩＣのメモリとして多くの表示装置に搭載されている。ＥＥＰＲＯＭは、半導体のメモリの一つである。
【０００３】
表示装置は、表示部と、駆動回路が配置される駆動部と、を備えた表示パネルと、駆動部の一端にフレキシブル配線基板を介して接続された回路基板とを備えている。
【０００４】
例えば、特許文献１によれば、液晶表示装置において、不揮発性メモリであるＥＥＰＲＯＭは、液晶表示パネルの周辺に接続される回路基板に実装されている。不揮発性メモリにランドを接続させ、ランドに対応する書き込み用システム装置に接続されたプローブを接続させることによって、不揮発性メモリと書き込み用システム装置を接続し、書き込みを行う技術が開示されている。
【特許文献１】特開２００４−２０８２５号公報
【発明の開示】
【発明が解決しようとする課題】
【０００５】
上記のようにメモリの情報の書き込みを行う際には、記憶させる情報を入力した後に高電圧信号を供給して情報の記憶を完了させる。この高電圧信号を供給するための書き込み用端子は、フレキシブル配線基板に設けられる場合がある。
【０００６】
書き込み用端子をフレキシブル配線基板上に配置する場合、例えば、１辺が１．０ｍｍ以上の端子電極と、この端子電極上に1辺が１．５ｍｍ以上のカバーレイ開口部を設けることが望ましい。
【０００７】
しかし、このような書き込み用端子をフレキシブル基板に設けると、フレキシブル配線基板上の配線の引き回しに制約が発生してしまうことがあった。また、近年、フレキシブル配線基板上に配置される配線の増加およびフレキシブル配線基板の小型化により、望ましい大きさの書き込み用端子を設けることが困難となる場合があった。
【０００８】
この場合、書き込み用端子の大きさが十分ではないため、高電圧信号を印加するためのプローブを書き込み用端子に接触させる際に、プローブと書き込み用端子とのズレが発生し、メモリに高電圧信号の供給が成されず、製造歩留まりが低下することがあった。
【０００９】
さらに、フレキシブル配線基板の設計上、書き込み用端子がフレキシブル配線基板の裏面（表示画面の反対側）に配置される場合があり、プローブを当てる作業性が悪くなり、製造歩留まりが低下することがあり、作業性を改善するために接続用治具などが必要となることがあった。
【００１０】
この発明は、上述した問題点に鑑みなされたものであって、その目的は、製造歩留まりを改善するとともに、製造コストを低減させる表示装置を提供することにある。
【課題を解決するための手段】
【００１１】
この発明の態様による表示装置は、表示部と、前記表示部に駆動信号を供給する駆動ＩＣが配置される駆動部と、を備えた表示パネルを備え、前記駆動ＩＣは、メモリと、前記メモリに供給される信号が入力される入力端子と、を備え、前記駆動部は、前記入力端子に電気的に接続された接続電極と、前記接続電極と接続配線を介して電気的に接続された書き込み用端子と、を備えている。
【発明の効果】
【００１２】
この発明によれば、製造歩留まりを改善するとともに、製造コストを低減させる表示装置を提供することができる。
【発明を実施するための最良の形態】
【００１３】
以下、この発明の一実施の形態に表示装置について図面を参照して説明する。この実施の形態においては、特に、表示装置として、液晶表示装置を適用した例について説明するが、この例に限らず、表示装置は、プラズマ表示装置、有機エレクトロルミネッセンス（ＥＬ）表示装置などであってもよい。
【００１４】
本実施形態に係る表示装置は、表示部と、表示部に駆動信号を供給する駆動ＩＣが配置される駆動部と、を備えた表示パネルを備えている。すなわち、図１に示すように、本実施形態に係る液晶表示装置は、略矩形平板状の液晶表示パネル１００を備えている。液晶表示パネル１００は、一対の基板、すなわち、アレイ基板２００およびアレイ基板２００に対向するように配置された対向基板３００と、アレイ基板２００と対向基板３００との間に保持された液晶層６００と、によって構成されている。
【００１５】
これらのアレイ基板２００と対向基板３００とは、シール材１１０によって貼り合わせられている。液晶表示パネル１００は、シール材１１０によって囲まれた内側に画像を表示する表示部１２０を備えている。この表示部１２０は、マトリクス状に配置された複数の画素ＰＸによって構成されている。
【００１６】
アレイ基板２００は、表示部１２０において、画素ＰＸの行方向Ｈに沿って配置された複数の走査線Ｙ（１、２、３、…、ｍ）と、画素ＰＸの列方向Ｖに沿って配置された複数の信号線Ｘ（１、２、３、…、ｎ）と、画素ＰＸにおける信号線Ｘと走査線Ｙとの交差部に配置されたスイッチ素子２２０と、各画素ＰＸに配置され、スイッチ素子２２０に接続された画素電極２３０と、を備えている。
【００１７】
図２に示すように、アレイ基板２００は、ガラスなどの光透過性を有する絶縁基板２１０を有している。スイッチ素子２２０は、絶縁基板２１０上に配置され、例えば、アモルファスシリコンやポリシリコンなどによって形成された半導体層２４２を備えた薄膜トランジスタ（ＴＦＴ）によって構成されている。
【００１８】
スイッチ素子２２０のゲート電極２２２は、絶縁基板２１０の上に配置されている。ゲート電極２２２は、走査線Ｙに接続されている（あるいは、ゲート電極２２２は、走査線Ｙと一体的に形成されている）。スイッチ素子２２０のソース電極２２５は、信号線Ｘに接続されている（あるいは、ソース電極２２５は、信号線Ｘと一体的に形成されている）。スイッチ素子２２０のドレイン電極２２７は、画素電極２３０に接続されている。
【００１９】
スイッチ素子２２０の半導体層２４２には、スイッチ素子２２０のソース電極２２５およびドレイン電極２２７がコンタクトしている。これらのソース電極２２５およびドレイン電極２２７は、層間絶縁膜２４４によって覆われている。
【００２０】
画素電極２３０は、層間絶縁膜２４４上において、各画素ＰＸに対応して配置されている。この画素電極２３０は、層間絶縁膜２４４に形成されたコンタクトホールＣＨを介してドレイン電極２２７に電気的に接続されている。
【００２１】
この画素電極２３０は、バックライト光を選択的に透過して画像を表示する透過型の液晶表示装置においては、例えば、インジウム・ティン・オキサイド（ＩＴＯ）などの光透過性を有する導電材料によって形成される。外光を選択的に反射することによって画像を表示する反射型の液晶表示装置においては、例えば、アルミニウム（Ａｌ）などの光反射性を有する導電材料によって形成される。
【００２２】
対向基板３００は、ガラスなどの光透過性を有する絶縁基板３１０と、表示部１２０において、液晶層６００を介して画素電極２３０と対向するように複数の画素ＰＸに共通の対向電極３３０と、を備えている。
【００２３】
カラー表示タイプの液晶表示装置では、表示部１２０は、複数種類の画素、例えば赤（Ｒ）を表示する赤色画素、緑（Ｇ）を表示する緑色画素、青（Ｂ）を表示する青色が素を有している。
【００２４】
図２に示した例では、対向基板３００は、表示部１２０において、絶縁基板３１０上の一方の主面（つまり、液晶層６００と対向する面）上に、カラーフィルタ層３２０を備えている。カラーフィルタ層３２０は、赤色画素に対応して赤色の主波長の光を透過する赤色カラーフィルタと、緑色画素に対応して緑色の主波長の光を透過する緑色カラーフィルタと、青色画素に対応して青色の主波長の光を透過する青色カラーフィルタと、を備えている。
【００２５】
なお、このようなカラーフィルタ層３２０は、アレイ基板２００側に備えられていてもいい。また、対向基板３００は、カラーフィルタ層３２０の表面の凹凸を平坦化する比較的厚い膜厚で配置されたオーバーコート層などを備えて構成してもよい。
【００２６】
対向電極３３０は、表示部１２０において、液晶層６００を介して画素電極２３０に対向するように配置されている。対向電極３３０は、表示部１２０において、複数の画素電極２３０に対向するようにカラーフィルタ層３２０上に配置されている。この対向電極３３０は、例えば、ＩＴＯやＩＺＯなどの光透過性を有する導電材料によって形成されている。
【００２７】
これらのアレイ基板２００および対向基板３００の表面は、配向膜２５０および配向膜３５０によってそれぞれ覆われている。アレイ基板２００と対向基板３００とは、図示しないスペーサによって所定の間隔をおいて配置されている。液晶層６００は、これらのアレイ基板２００と対向基板３００との間に封入された液晶分子を含む液晶材料で構成されている。
【００２８】
また、透過型液晶表示パネルについては、アレイ基板２００および対向基板３００の外面（すなわちアレイ基板２００および対向基板３００の液晶層６００と接する面とは反対の面）には、それぞれ光学素子２６０および３６０が設けられている。これらの光学素子２６０および３６０は、液晶層６００の特性に合わせて偏光方向を設定した偏光板などを含んでいる。
【００２９】
また、液晶表示パネル１００は、表示部１２０の外側に、駆動ＩＣ１３０を備えている。駆動ＩＣ１３０は、対向基板３００の端部３００Ａより外方に延在したアレイ基板２００の延在部（駆動部）２００Ａに配置されている。駆動ＩＣ１３０は、メモリ１５０と、メモリ１５０に供給される信号が入力される入力端子１３１と、を備えている。
【００３０】
延在部２００Ａは、この入力端子１３１に電気的に接続された接続電極１３２と、この接続電極１３２と接続配線１４０を介して電気的に接続された書き込み用端子１５１と、を備えている。つまり、メモリ１５０と書き込み用端子１５１とは、電気的に接続されている。
【００３１】
ところで、駆動ＩＣ１３０には、メモリ１５０として、例えば、ＥＰＰＲＯＭが実装されている。メモリ１５０には、書き込み用端子１５１にプローブ（図示せず）を当て、書き込み用端子１５１を介して高電圧を与えることによってメモリ１５０への信号書き込みが完了する。
【００３２】
さらに、液晶表示パネル１００は、延在部２００Ａの一側縁に接続された配線基板４００、例えば、配線基板（ＦＰＣ：flexible printed circuit）４００を備えている。配線基板４００は、複数の接続端子（図示せず）を備え、これら接続端子を延在部２００Ａに配置された複数の接続電極（図示せず）に電気的に接続することによって駆動ＩＣ１３０に信号を供給する配線（図示せず）と電気的に接続されている。配線基板４００は、例えば、駆動ＩＣ１３０に対して制御信号や電源を供給する。
【００３３】
第１実施形態において、書き込み用端子１５１は、アレイ基板２００に配置されている。図１に示した例では、書き込み用端子１５１は、延在部２００Ａに配置されている。接続配線１４０は、アレイ基板２００上に配置されている。
【００３４】
第１実施形態において、書き込み用端子１５１がアレイ基板２００に配置されているため、配線基板４００上の配線の引き回しに制約されることなく、書き込み用端子１５１を配置することが可能となる。
【００３５】
また、配線基板４００上の配線の引き回しに制約されることがないため、径の大きい書き込み用端子１５１を配置することが可能となる。書き込み用端子１５１の径とは、書き込み用端子１５１が略長方形状である場合において、書き込み用端子１５１の短辺である。また、書き込み用端子１５１の径とは、書き込み用端子１５１が略円形状である場合において、書き込み用端子１５１の短軸である。これにより、プローブを当てる際に、プローブと書き込み用端子１５１とのズレを防止することが可能となる。つまり、製造歩留まりの低下を防止することが可能となる。
【００３６】
さらに、書き込み用端子１５１をアレイ基板２００の延在部２００Ａに配置することによって、書き込み用端子１５１を配線基板４００の裏面に配置することがなくなる。したがって、プローブを当てる作業性の低下を防止することが可能となり、さらには作業性を改善するための専用の治具などが必要とならない。つまり、製造歩留まりの低下が防止されるとともに製造コストの増大を防止することが可能となる。
【００３７】
以上より、本実施形態に係る表示装置によれば、製造歩留まりを改善するとともに、製造コストを低減させる表示装置を提供することが可能となる。
【００３８】
さらに、本実施形態において、接続配線１４０は、スイッチ素子２２０のゲート電極２２２またはソース電極２２５・ドレイン電極２２７と同一層に形成されてもよい。これにより、接続配線１４０をゲート電極２２２、ソース電極２２５、ドレイン電極２２７と同一材料、同一工程で形成することが可能となる。接続配線１４０を形成するにあたり、新たな材料を必要としない。つまり、工定数の増大および製造コストの増大を抑制することが可能となる。
【００３９】
さらに、この接続配線１４０は、ゲート電極２２２およびソース電極２２５・ドレイン電極２２７電極と同一層に形成された二層配線でもよい。接続配線１４０を２層配線にすることによって、書き込み用端子１５１と入力端子１３１との間の接続不良を抑制することができる。
【００４０】
次に、第２実施形態について図３も用いて説明する。なお、以下の説明において、第１実施形態に係る液晶表示装置と同様の構成については、同一の符号を付して説明を省略する。
【００４１】
第２実施形態において、書き込み用端子１５１は、アレイ基板２００上に配置されている。書き込み用端子１５１は、延在部２００Ａに配置されている。接続配線１４０は、配線基板４００およびアレイ基板２００上に配置されている。
【００４２】
このとき、接続配線１４０は、延在部２００Ａ上に配置されているとともに、接続電極（図示せず）に接続された第１配線１４０Ａと、配線基板４００上に配置され、配線基板４００上の第１端子４１０Ａと第２端子４１０Ｂとを接続するとともに、第１端子４１０Ａを介して第１配線１４０Ａに接続された第２配線１４０Ｂと、延在部２００Ａ上に配置されているとともに、第２端子４１０Ｂと書き込み用端子１５１とを接続する第３配線と、によって構成されている。
【００４３】
このように構成することによって、アレイ基板２００上に接続配線１４０を配置することが困難な場合であっても、配線基板４００上の配線の引き回しに制約されることなく、書き込み用端子１５１を配置することが可能となる。
【００４４】
つまり、第２実施形態に係る液晶表示装置によれば、第１実施形態と同様に、製造歩留まりを改善するとともに、製造コストを低減させる表示装置を提供することが可能となる。
【００４５】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４６】
第１実施形態および第２実施形態において、略長方形状の書き込み用端子１５１を例に説明したが、この例に限らず、書き込み用端子１５１は、正方形状、平行四辺形状、ひし形状であってもよい。
【図面の簡単な説明】
【００４７】
【図１】図１は、この発明の一実施形態に係る液晶表示装置の液晶表示パネルの一構成例を概略的に示す図である。
【図２】図２は、図１に示した液晶表示パネルにおける画素の構成およびスイッチの構成を概略的に示す断面図である。
【図３】図３は、第２実施形態に係る液晶表示装置の液晶表示パネルの他の構成例を概略的に示す図である。
【符号の説明】
【００４８】
１２０…表示部  ２００Ａ…駆動部  １３０…駆動ＩＣ  １５０…メモリ  １３１…入力端子  １３２…接続電極  １４０…接続配線  １５１…書き込み用端子
【図１】
2010134105.tif 000003
【図２】
2010134105.tif 000004
【図３】
2010134105.tif 000005